(57)【要約】【課題】製造の手間やコストを過度に増加させることなく、作動限界を拡大できる遠心圧縮機を提供する。【解決手段】本発明の遠心圧縮機Ｃは、回転翼１の回転により気体を圧縮する遠心圧縮機であって、回転翼１に気体を導入する主導入管３２と、主導入管３２における周面の略接線方向で主導入管３２内に気体を導入させる副導入管３３と、を有するという構成を採用する。【選択図】図１
2010138764.tif 000002
【特許請求の範囲】
【請求項１】
回転翼の回転により気体を圧縮する遠心圧縮機であって、
前記回転翼に気体を導入する主導入管と、
前記主導入管における周面の略接線方向で前記主導入管内に気体を導入させる副導入管と、を有することを特徴とする遠心圧縮機。
【請求項２】
前記副導入管は、前記回転翼の回転方向と同じ方向で気体を導入することを特徴とする請求項１に記載の遠心圧縮機。
【請求項３】
前記副導入管は、前記回転翼の回転方向と逆の方向で気体を導入することを特徴とする請求項１に記載の遠心圧縮機。
【請求項４】
前記回転翼の回転方向と同じ方向で気体を導入する第１の前記副導入管と、
前記回転翼の回転方向と逆の方向で気体を導入する第２の前記副導入管と、
前記主導入管内に気体を導入する方向に応じて前記第１の副導入管と前記第２の副導入管とを切り換える切換機と、を有することを特徴とする請求項１に記載の遠心圧縮機。
【請求項５】
前記回転翼の回転方向と同じ方向及び逆の方向の、いずれか一方向で気体を導入する前記副導入管が複数であることを特徴とする請求項１ないし４のいずれか一項に記載の遠心圧縮機。
【請求項６】
前記複数の副導入管は、前記主導入管の周方向に関して略等間隔で設けられていることを特徴とする請求項５に記載の遠心圧縮機。
【請求項７】
前記副導入管から導入される気体の流量を調節する流量調節機を有することを特徴とする請求項１ないし６のいずれか一項に記載の遠心圧縮機。
【発明の詳細な説明】
【技術分野】
【０００１】
本発明は、回転翼の回転により気体を圧縮する遠心圧縮機に関する。
【背景技術】
【０００２】
従来から、回転翼の回転により空気や冷媒ガス等の気体を圧縮する遠心圧縮機が、ターボチャージャや冷蔵・冷凍機等に使用されている。上記圧縮機は、圧縮機から吐出される気体の流路を狭める等により気体を流動し難くすると共に、回転翼が回転して気体をさらに吐出することで、吐出側の気体を昇圧させる。
【０００３】
ところで、圧縮機から吐出される気体を流動し難くすることにより、圧縮機内の気体の流量は減少するのであるが、流量が一定の値まで減少したときに圧縮機の振動や吐出される気体の脈動等（いわゆるサージング）が発生する。
圧縮機内の流路径が一定のまま流量が減少すると、気体の流速が減少する。回転翼と回転翼に流入する気体との関係において、気体の流速が減少することで、回転翼から見た相対的な気体の流動方向と回転翼の翼部の傾きとの間における角度の差異が大きくなり、回転翼の背側（回転翼が回転して進む側の逆側）に気体の流動しない領域（剥離）が発生していた。そして、この剥離が圧縮機の性能を急激に低下させ、結果としてサージングを発生させていた。
サージングが発生した状態のまま圧縮機を運転させると圧縮機を破損する虞があるため、上記一定の流量以下では圧縮機を運転させることができない。よって、圧縮機の少流量側の作動限界は、サージングが発生する上記一定の流量までとされていた。
【０００４】
ここで、特許文献１には、圧縮機の作動限界を少流量側に拡大するために、回転翼に流入する気体に、回転翼の回転と同一方向の旋回を与える複数の案内翼（ガイドベーン）を備える圧縮機が開示されている。
気体が旋回しつつ回転翼に流入することで、気体の流量が減少した場合でも、上記角度の差異を小さくでき、また、回転翼から見た気体の相対速度も小さくできるため、回転翼の背側における剥離が縮小又は消滅する。すなわち、本来ならばサージングが発生するほどに気体の流量が少ない場合であっても、流入する気体を旋回させることでサージングの発生を回避し、圧縮機の作動限界を少流量側に拡大させることができた。
【０００５】
また、特許文献２には、回転翼の上流側に接続された気体の導入管の外周にスクロール流路を設け、導入管の周方向で延びる開口部を介してスクロール流路から導入管内に気体を導入することで、導入管内を流動する気体を旋回させる旋回流発生装置が開示されている。
特許文献２に開示されている旋回流発生装置を圧縮機に用いた場合も、その作動限界を少流量側に拡大させることができた。
【特許文献１】特開平１０−２６０２７号公報（第５頁、第２図）
【特許文献２】特開平１１−６５００号公報（第４頁、第１図）
【発明の開示】
【発明が解決しようとする課題】
【０００６】
しかし、特許文献１に開示されている圧縮機は、複数の案内翼を有し、さらに、それらの案内翼を同期して作動させるための駆動部を必要とするため、製造の手間やコストが増加してしまうという問題があった。
【０００７】
また、特許文献２に開示されている旋回流発生装置は、導入管とスクロール流路が導入管の周方向で延びる開口部を介して連通しているという複雑な構成を有しているため、その製造が難しく、結果としてコストが増加してしまうという問題があった。
【０００８】
さらに、特許文献１及び２に開示されている発明は、圧縮機の作動限界を少流量側に拡大するのみであり、作動限界を多流量側に拡大することは考慮されていなかった。
【０００９】
本発明は、このような事情に鑑みてなされたものであり、製造の手間やコストを過度に増加させることなく、作動限界を拡大できる遠心圧縮機を提供することを目的とする。
【課題を解決するための手段】
【００１０】
上記課題を解決するために、本発明は以下の手段を採用する。
本発明の遠心圧縮機は、回転翼の回転により気体を圧縮する遠心圧縮機であって、回転翼に気体を導入する主導入管と、主導入管における周面の略接線方向で主導入管内に気体を導入させる副導入管とを有するという構成を採用する。
このような構成を採用する本発明では、副導入管は、主導入管の周面部に形成された孔部に略接線方向で接続され、主導入管内に気体を導入する。そして、本発明では、副導入管から導入された気体の流動によって、主導入管内を軸方向で流動する気体が旋回する。
【００１１】
また、本発明の遠心圧縮機は、副導入管が、回転翼の回転方向と同じ方向で気体を導入するという構成を採用する。
このような構成を採用する本発明では、主導入管内を軸方向で流動する気体が、回転翼の回転方向と同じ方向で旋回する。
【００１２】
また、本発明の遠心圧縮機は、副導入管が、回転翼の回転方向と逆の方向で気体を導入するという構成を採用する。
このような構成を採用する本発明では、主導入管内を軸方向で流動する気体が、回転翼の回転方向と逆の方向で旋回する。
【００１３】
また、本発明の遠心圧縮機は、回転翼の回転方向と同じ方向で気体を導入する第１の副導入管と、回転翼の回転方向と逆の方向で気体を導入する第２の副導入管と、主導入管内に気体を導入する方向に応じて第１の副導入管と第２の副導入管とを切り換える切換機とを有するという構成を採用する。
このような構成を採用する本発明では、上記切換機の作動に従い、主導入管内を軸方向で流動する気体が、回転翼の回転方向と同じ方向又は逆の方向で旋回する。
【００１４】
また、本発明の遠心圧縮機は、回転翼の回転方向と同じ方向及び逆の方向の、いずれか一方向で気体を導入する副導入管が複数であるという構成を採用する。
このような構成を採用する本発明では、副導入管が単数である場合に比べて、主導入管内を軸方向で流動する気体がより旋回しやすくなる。
【００１５】
また、本発明の遠心圧縮機は、上記複数の副導入管が、主導入管の周方向に関して略等間隔で設けられているという構成を採用する。
このような構成を採用する本発明では、主導入管内を軸方向で流動する気体の旋回が、周方向に関して略均一となる。
【００１６】
また、本発明の遠心圧縮機は、副導入管から導入される気体の流量を調節する流量調節機を有するという構成を採用する。
このような構成を採用する本発明では、回転翼に流入する気体の流量に応じて、主導入管内を軸方向で流動する気体の旋回量が適切に選択される。
【発明の効果】
【００１７】
本発明によれば、以下の効果を得ることができる。
本発明によれば、回転翼に流入する気体を回転翼の回転と同じ方向で旋回させることで、本来ならばサージングが発生するほどに気体の流量が少ない場合であっても、サージングの発生を回避できるという効果がある。また、本発明によれば、回転翼に流入する気体を回転翼の回転と逆の方向で旋回させることで、圧縮機が吐出できる最大流量を増加できるという効果がある。
したがって、本発明によれば、製造の手間やコストを過度に増加させることなく、圧縮機の作動限界を拡大できるという効果がある。
【発明を実施するための最良の形態】
【００１８】
以下、図面を参照して、本発明の実施形態について説明する。
〔第１実施形態〕
第１の実施形態に係る遠心圧縮機Ｃの構成を、図１を参照して説明する。
図１は、第１の実施形態に係る遠心圧縮機Ｃの全体構成を示す概略図であり、（ａ）は遠心圧縮機Ｃの断面図、（ｂ）は（ａ）のＡ−Ａ線視断面図である。なお、図１の矢印Ｆは前方を示す。また、図１では、説明のために各構成要素の縮尺を適宜変更して記載している。
【００１９】
遠心圧縮機Ｃは、後述するインペラ１の回転により空気（気体）を圧縮し、不図示のエンジンに圧縮された空気を供給するターボチャージャである。
図１に示すように、圧縮機Ｃは、回転により空気を送り出すインペラ（回転翼）１と、インペラ１を囲んで設けられるハウジング部２と、インペラ１に空気を導入する空気導入部３とを備えている。
【００２０】
インペラ１は、略円錐状を呈するベース１１と、ベース１１の外周面に複数設けられた翼１２と、ベース１１をその中心軸方向で貫通するインペラ軸１３と、ベース１１とインペラ軸１３とを一体的に接続するボルト１４とを有している。
【００２１】
複数の翼１２は、ベース１１の周方向で略等間隔に設けられている。インペラ軸１３は、前後方向で延びる棒状部材であり、不図示の軸受けに回転自在に設けられている。また、インペラ軸１３のベース１１と逆側の端部には、エンジンから導かれる排気ガスの流動によって回転する不図示のタービンが接続されている。
インペラ１は、中心軸回りに回転することで、インペラ１前方の空気を吸引し、吸引した空気を径方向外側に送り出すことができる。
【００２２】
ハウジング部２は、略環状を呈するコンプレッサハウジング２１と、略円板状を呈するシールプレート２２とを有している。
コンプレッサハウジング２１の略中央部にはインペラ１が設けられており、コンプレッサハウジング２１及びインペラ１の中心軸は略同一の方向に延びている。また、コンプレッサハウジング２１は、空気を導入するためにインペラ１の前方に開口する導入口２３と、インペラ１を周方向で取り囲むように形成されたスクロール流路２４とを有している。スクロール流路２４は、不図示の吐出口に接続され、該吐出口はエンジンの給気口に接続されている。
【００２３】
コンプレッサハウジング２１とシールプレート２２とは、前後方向で重なって一体的に接続されている。コンプレッサハウジング２１とシールプレート２２との間には、ディフューザ流路２５がインペラ１の径方向外側で略環状に形成されている。
導入口２３は、インペラ１の設置箇所を介してディフューザ流路２５に連通し、ディフューザ流路２５は、スクロール流路２４に連通している。
【００２４】
空気導入部３は、不図示のエアクリーナに接続されている空気導入管３１と、略円筒状を呈しインペラ１に空気を導入する主導入管３２と、ハウジング部２の近傍で主導入管３２に接続される副導入管３３とを有している。
空気導入管３１の下流側は２方向に分岐しており、分岐したそれぞれの管に主導入管３２及び副導入管３３が接続されている。
【００２５】
主導入管３２は導入口２３に接続され、主導入管３２及びインペラ１の中心軸は略同一の方向に延びている。
副導入管３３は、主導入管３２と略同一の方向に延びており、導入口２３の上流側近傍で主導入管３２の周面部に形成された孔部３２ａに接続されている。この接続は一般的な溶接等を用いて行われ、特殊な製造方法を必要としない。
上記接続部分における副導入管３３の向きは、主導入管３２における周面の略接線方向であり、かつ、主導入管３２の中心軸方向に直交する向きである。なお、副導入管３３は、インペラ１の回転方向と同じ方向で空気を導入する向き又は逆の向きで主導入管３２に接続されている。
【００２６】
主導入管３２及び副導入管３３は、それぞれの管内に空気の流量を調節する主導入管バルブ（流量調節機）３２Ｖ及び副導入管バルブ（流量調節機）３４を各々備えている。
主導入管バルブ３２Ｖ及び副導入管バルブ３４は、いわゆるバタフライバルブであり、不図示の駆動部に接続され、該駆動部の作動により副導入管３３内を流動する空気量を調節することができる。なお、少なくとも副導入管バルブ３４は、副導入管３３を完全に遮蔽することができる。
【００２７】
続いて、本実施形態に係る圧縮機Ｃの動作・作用を説明する。
【００２８】
まず、圧縮機Ｃが空気を圧縮する動作について説明する。なお、主導入管バルブ３２Ｖは全開の状態であり、副導入管バルブ３４は、副導入管３３を完全に遮蔽しているものとする。
エンジンから導かれる排気ガスの流動によってタービンが回転し、該タービンとインペラ軸１３とが接続されていることから、インペラ１が回転する。かかる回転により、インペラ１の前方の空気が吸引され、エアクリーナ、空気導入管３１及び主導入管３２を介して空気がインペラ１に導入される。導入された空気は、インペラ１の回転により径方向外側に送り出され、ディフューザ流路２５を経てスクロール流路２４に流入する。
【００２９】
ここで、圧縮機Ｃから吐出される空気を流動し難くすると、インペラ１は空気を送り続けるために、スクロール流路２４内の空気圧は上昇し、スクロール流路２４に接続された吐出口から昇圧された空気が吐出される。この昇圧された空気がエンジンに導入されることで、エンジンの出力等の性能が向上する。
以上で、圧縮機Ｃが空気を圧縮する動作は終了する。
【００３０】
次に、インペラ１に流入する気体を旋回させることにより、圧縮機Ｃの作動限界を拡大する動作・作用について説明する。
まず、副導入管３３が、インペラ１の回転方向と同じ方向で空気を導入するように主導入管３２に接続されている場合について説明する。
【００３１】
インペラ１が回転することにより、空気がインペラ１の軸方向前側から導入され、径方向外側に送り出される。空気は、インペラ１の回転面に対して垂直に導入されるのであるが、インペラ１が回転しているために、インペラ１における翼１２から見た相対的な空気の流動は、回転面に対して一定の角度αをもって流動する。
一方、翼１２も回転面に対して角度βをもって設けられている。角度α及びβが略同一であれば、空気は滑らかに翼１２の設置箇所に流入する。
【００３２】
ここで、インペラ１の回転数を一定に保ちつつ圧縮機Ｃから吐出される空気をさらに流動し難くすると、圧縮比（大気圧に対する、圧縮機Ｃから吐出される空気の圧力の比）がさらに上昇すると共に、圧縮機Ｃ内の空気の流量が減少する。
圧縮機Ｃの流路径は変化しないので、空気の流量が減少することで、空気の流速も減少する。上記角度αは、空気の流速とインペラ１の回転速度とを合成したベクトルの、回転面に対する角度であるため、インペラ１の回転速度が一定で空気の流速が減少すると角度αは小さくなり、さらに鋭角の角度α１となる。すなわち、空気は翼１２がもつ傾きとは異なる方向で流入することになるため、翼１２の背側（翼１２が回転して進む側の逆側）に空気の流動しない領域（剥離）が発生する。そして、この剥離が圧縮機の性能を急激に低下させ、結果としてサージングを発生させる。
【００３３】
上記サージングが発生しようとする前に、主導入管バルブ３２Ｖを変位させて主導入管３２の一部を遮蔽すると共に、副導入管バルブ３４を開き、副導入管３３内に空気を流動させ、副導入管３３から主導入管３２へ空気を導入させる。
副導入管３３から主導入管３２へ空気が導入されることにより、主導入管３２内を軸方向で流動する空気がインペラ１の回転と同じ方向で旋回する。この旋回により、上記角度α１は角度α寄りに変化し、また、翼１２から見た空気の相対速度も小さくなるため、翼１２の背側に発生していた剥離が縮小又は消滅する。したがって、サージングの発生を回避することができ、圧縮機Ｃの作動限界を少流量側に拡大することができる。
【００３４】
なお、副導入管３３からの空気の導入量は、インペラ１に流入する空気の流量に応じて設定される。例えば、インペラ１に流入する空気量が少ない場合には、翼１２の背側に大きな剥離が発生するため、副導入管３３からの空気の導入量を増加させ、主導入管３２内を流動する空気の旋回量を増加させる。
【００３５】
一方、副導入管３３が、インペラ１の回転方向と逆の方向で空気を導入するように主導入管３２に接続されている場合について説明する。
【００３６】
インペラ１の回転速度は一定のまま、圧縮機Ｃから吐出される空気を流動し易くすると、圧縮機Ｃ内の空気の流量が増加する。圧縮機Ｃの流路径は変化しないので、空気の流量が増加することで、空気の流速も増加する。上記角度αは、前述の通り、空気の流速とインペラ１の回転速度とを合成したベクトルの回転面に対する角度であるため、インペラ１の回転速度が一定で空気の流速が増加すると角度αは大きくなり、さらに鈍角の角度α２となる。すなわち、空気は翼１２がもつ傾きとは異なる方向で流入することになるため、翼１２の腹側（翼１２が回転して進む側）に剥離が発生する。
【００３７】
剥離が発生している領域には空気は流動できないため、翼１２の設置箇所における流路径が狭くなり、圧縮機Ｃから吐出される空気を流動し易くしても、一定の流量以上に空気の流量を増加させることはできない。すなわち、上記一定の流量が圧縮機Ｃにおける多流量側の作動限界となっていた。
【００３８】
多流量側の作動限界に到達したときに、主導入管バルブ３２Ｖを変位させて主導入管３２の一部を遮蔽すると共に、副導入管バルブ３４を開き、副導入管３３内に空気を流動させ、副導入管３３から主導入管３２へ空気を導入させる。
副導入管３３から主導入管３２へ空気が導入されることにより、主導入管３２内を軸方向で流動する空気がインペラ１の回転と逆の方向で旋回する。この旋回により、上記角度α２は角度α寄りに変化するため、翼１２の腹側に発生していた剥離が縮小又は消滅する。したがって、翼１２の設置箇所における流路径が広くなり、空気の流量が増加するため、圧縮機Ｃの作動限界を多流量側に拡大することができる。
【００３９】
なお、副導入管３３からの空気の導入量は、インペラ１に流入する空気の流量に応じて設定される。例えば、インペラ１に流入する空気量が多い場合には、翼１２の腹側に大きな剥離が発生するため、副導入管３３からの空気の導入量を増加させ、主導入管３２内を流動する空気の旋回量を増加させる。
【００４０】
したがって、本実施形態によれば以下の効果を得ることができる。
本実施形態において、副導入管３３がインペラ１の回転方向と同じ方向で空気を導入するように主導入管３２に接続されている場合には、本来ならばサージングが発生するほどに気体の流量が少ない場合であっても、サージングの発生を回避できるという効果がある。一方、本実施形態において、副導入管３３がインペラ１の回転方向と逆の方向で空気を導入するように主導入管３２に接続されている場合には、圧縮機が吐出できる最大流量を増加できるという効果がある。
したがって、本実施形態によれば、製造の手間やコストを過度に増加させることなく、圧縮機の作動限界を少流量側又は多流量側のいずれか一方で拡大できるという効果がある。
【００４１】
〔第２実施形態〕
第２の実施形態に係る遠心圧縮機Ｃ２の構成を、図２を参照して説明する。
図２は、第２の実施形態に係る遠心圧縮機Ｃ２の全体構成を示す概略図であり、（ａ）は遠心圧縮機Ｃ２の断面図、（ｂ）は（ａ）のＢ−Ｂ線視断面図である。なお、図２において、図１に示す第１の実施形態の構成要素と同一の要素については同一の符号を付し、その説明を省略する。
【００４２】
遠心圧縮機Ｃ２は、インペラ１の回転により空気（気体）を圧縮し、不図示のエンジンに圧縮された空気を供給するターボチャージャである。
図２に示すように、圧縮機Ｃ２は、回転により空気を送り出すインペラ（回転翼）１と、インペラ１を囲んで設けられるハウジング部２と、インペラ１に空気を導入する空気導入部３とを備えている。
【００４３】
空気導入部３は、不図示のエアクリーナに接続されている空気導入管３１と、略円筒状を呈しインペラ１に空気を導入する主導入管３２と、ハウジング部２の近傍で主導入管３２に接続される第１副導入管３５及び第２副導入管３７とを有している。
空気導入管３１の下流側は３方向に分岐しており、分岐したそれぞれの管に主導入管３２、第１副導入管３５及び第２副導入管３７が接続されている。
【００４４】
主導入管３２は導入口２３に接続され、主導入管３２及びインペラ１の中心軸は略同一の方向に延びている。
第１副導入管３５は、主導入管３２と略同一の方向に延びており、導入口２３の上流側近傍で主導入管３２の周面部に形成された孔部３２ｂに接続されている。この接続は一般的な溶接等を用いて行われ、特殊な製造方法を必要としない。
上記接続部分における第１副導入管３５の向きは、主導入管３２における周面の略接線方向で、インペラ１の回転方向と同じ方向で空気を導入する向きであり、さらに、主導入管３２の中心軸方向に直交する向きである。
【００４５】
第１副導入管３５は、その管内に空気の流量を調節する第１副導入管バルブ（切換機、流量調節機）３６を備えている。第１副導入管バルブ３６は、いわゆるバタフライバルブであり、不図示の駆動部に接続され、該駆動部の作動により第１副導入管３５内を流動する空気量を調節することができる。なお、第１副導入管バルブ３６は、第１副導入管３５を完全に遮蔽することができる。
【００４６】
第２副導入管３７は、主導入管３２と略同一の方向に延びており、導入口２３の上流側近傍で主導入管３２の周面部に形成された孔部３２ｃに接続されている。この接続は、第１副導入管３５の接続方法と同様のものである。
上記接続部分における第２副導入管３７の向きは、主導入管３２における周面の略接線方向で、インペラ１の回転方向と逆の方向で空気を導入する向きであり、かつ、主導入管３２の中心軸方向に直交する向きである。
【００４７】
第２副導入管３７は、その管内に空気の流量を調節する第２副導入管バルブ（切換機、流量調節機）３８を備えている。第２副導入管バルブ３８は、第１副導入管バルブ３６と同様のものである。
【００４８】
続いて、本実施形態に係る圧縮機Ｃ２の動作・作用を説明する。
【００４９】
まず、圧縮機Ｃ２が空気を圧縮する動作であるが、第１の実施形態における圧縮機Ｃの動作と同様であるため、その説明を省略する。
【００５０】
次に、インペラ１に流入する気体を旋回させることにより、圧縮機Ｃ２の作動限界を拡大する動作・作用について説明する。なお、インペラ１に流入する空気をインペラ１の回転と同じ方向又は逆の方向に旋回させることで、圧縮機Ｃ２の作動限界を少流量側又は多流量側に拡大する動作・作用は第１の実施形態と同様であるため、その説明を省略し、第１副導入管バルブ３６及び第２副導入管バルブ３８の作動により空気の旋回方向を変更する動作についてのみ説明する。
【００５１】
まず、圧縮機Ｃ２の作動限界を少流量側に拡大させる。
圧縮機Ｃ２内の空気の流量が減少しサージングが発生しようとする前に、主導入管バルブ３２Ｖを変位させて主導入管３２の一部を遮蔽すると共に、第１副導入管バルブ３６を開き、第１副導入管３５内に空気を流動させ、第１副導入管３５から主導入管３２へ空気を導入させる。この時、第２副導入管バルブ３８は、第２副導入管３７を完全に遮蔽しておく。
第１副導入管３５から主導入管３２へ空気が導入されることにより、主導入管３２内を軸方向で流動する空気がインペラ１の回転と同じ方向で旋回する。この旋回により、サージングの発生を回避することができ、圧縮機Ｃ２の作動限界を少流量側に拡大することができる。
なお、第１副導入管３５からの空気の導入量は、インペラ１に流入する空気の流量に応じて設定される。
【００５２】
次に、圧縮機Ｃ２の作動限界を多流量側に拡大させる。
圧縮機Ｃ２内の空気の流量が上限に達するときに、主導入管バルブ３２Ｖを変位させて主導入管３２の一部を遮蔽すると共に、第２副導入管バルブ３８を開き、第２副導入管３７内に空気を流動させ、第２副導入管３７から主導入管３２へ空気を導入させる。この時、第１副導入管バルブ３６は、第１副導入管３５を完全に遮蔽しておく。
第２副導入管３７から空気が導入されることにより、主導入管３２内を軸方向で流動する空気がインペラ１の回転と同じ方向で旋回する。この旋回により、圧縮機Ｃ２内の空気の流量を増加させることができ、圧縮機Ｃ２の作動限界を多流量側に拡大することができる。
なお、第２副導入管３７からの空気の導入量は、インペラ１に流入する空気の流量に応じて設定される。
【００５３】
したがって、本実施形態によれば以下の効果を得ることができる。
本実施形態によれば、第１副導入管３５から主導入管３２に空気を導入することで、本来ならばサージングが発生するほどに気体の流量が少ない場合であっても、サージングの発生を回避できるという効果がある。さらに、本実施形態によれば、第２副導入管３７から主導入管３２に空気を導入することで、圧縮機が吐出できる最大流量を増加できるという効果がある。
したがって、本実施形態によれば、製造の手間やコストを過度に増加させることなく、圧縮機の作動限界を少流量側及び多流量側のどちらにも拡大できるという効果がある
【００５４】
なお、前述した実施の形態において示した動作手順、あるいは各構成部材の諸形状や組み合わせ等は一例であって、本発明の主旨から逸脱しない範囲においてプロセス条件や設計要求等に基づき種々変更可能である。
【００５５】
例えば、上記実施形態では、圧縮機Ｃ及びＣ２はターボチャージャとして用いられているが、本発明はこのような用途に限定されるものではなく、他の用途に用いてもよい。例えば本発明に係る圧縮機を冷蔵・冷凍機に用いてもよい。
また、上記実施形態では、圧縮機Ｃ及びＣ２が圧縮する気体は空気であったが、その用途に合わせて適宜変更してよく、例えば冷媒ガス等でもよい。
【００５６】
また、上記実施形態では、エンジンから導かれる排気ガスの流動を利用してインペラ１を回転させていたが、本発明はこのような構成に限定されるものではなく、他の動力を利用してもよい。例えば、エンジンの回転力をインペラ軸１３に伝達する構成や、電動機等を利用する構成によりインペラ１を回転させてもよい。
【００５７】
また、上記実施形態では、副導入管３３、第１副導入管３５及び第２副導入管３７は、主導入管３２の中止軸方向と直交する向きで主導入管３２に接続されているが、主導入管３２の中心軸方向と所定の角度をもって接続されていてもよい。例えば、上記副導入管から導入される空気が、主導入管３２内で螺旋状に旋回するようになっていてもよい。
【００５８】
また、上記実施形態では、副導入管３３、第１副導入管３５及び第２副導入管３７は、各々１本ずつであったが、上記副導入管の少なくともいずれか１種の副導入管が複数であってもよい。この場合は、上記副導入管が単数である場合に比べ、主導入管３２内を流動する空気がより旋回しやすくなるという効果がある。
また、上記複数の副導入管が、主導入管３２の周方向に関して略等間隔で設けられていてもよい。この場合は、主導入管３２内を流動する空気の旋回が、周方向に関して略均一となるという効果がある。
【００５９】
また、第２の実施形態では、空気導入管３１から第１副導入管３５及び第２副導入管３７が分岐しているが、まず１本の副導入管が空気導入管３１から分岐し、該副導入管が第１副導入管３５及び第２副導入管３７に分岐してもよい。この場合は、該分岐点に１つの切換機が設けられる。なお、上記切換機が流量調節機を兼ねていてもよい。
【００６０】
また、第１の実施形態では、主導入管３２には主導入管バルブ３２Ｖが設けられ、副導入管３３には副導入管バルブ３４が設けられていたが、主導入管バルブ３２Ｖと副導入管バルブ３４とのいずれか一方のみが設けられている構成であってもよい。
例えば、主導入管バルブ３２Ｖのみが設けられている場合は、主導入管バルブ３２Ｖを変位させて主導入管３２の一部を遮蔽することで主導入管３２内における空気の流動抵抗を増加させ、主導入管３２内を空気が流動し難くすることで副導入管３３内に空気を導入させることができる。また、副導入管バルブ３４のみが設けられている場合は、副導入管バルブ３４を開くことで、空気を副導入管３３内に導入させることができる。
【００６１】
また、第２の実施形態では、主導入管３２には主導入管バルブ３２Ｖが設けられ、副導入管３５、３７には副導入管バルブ３６、３８が設けられていたが、副導入管バルブ３６、３８だけが設けられている構成であってもよい。
この場合は、副導入管バルブ３６、３８のいずれか一方を開くことで、空気を第１副導入管３５又は第２副導入管３７内に導入させることができる。
【図面の簡単な説明】
【００６２】
【図１】第１の実施形態に係る遠心圧縮機Ｃの全体構成を示す概略図である。
【図２】第２の実施形態に係る遠心圧縮機Ｃ２の全体構成を示す概略図である。
【符号の説明】
【００６３】
Ｃ…遠心圧縮機、Ｃ２…遠心圧縮機、１…インペラ（回転翼）、３２…主導入管、３２Ｖ…主導入管バルブ（流量調節機）、３３…副導入管、３４…副導入管バルブ（流量調節機）、３５…第１副導入管、３６…第１副導入管バルブ（切換機、流量調節機）、３７…第２副導入管、３８…第２副導入管バルブ（切換機、流量調節機）
【図１】
2010138764.tif 000003
【図２】
2010138764.tif 000004